【事件の表示】
　特願２００５−１９２７０３「逆多重化装置および逆多重化装置を用いる表示装置，逆多重化装置を用いる表示装置の表示パネルとその駆動方法」拒絶査定不服審判事件〔平成１８年　１月１９日出願公開、特開２００６−　１８２９７〕について、次のとおり審決する。
【結　論】
　本件審判の請求は、成り立たない。
【理　由】
１　手続の経緯  
　
　平成１７年　６月３０日　特許出願（パリ条約による優先権主張２００４年６月３０日、大韓民国）
　平成２０年　５月２０日　拒絶理由通知（同年５月２７日発送）
　平成２０年　８月２７日　意見書・手続補正書
　平成２１年　３月２４日　拒絶査定（同年４月７日送達）
　平成２１年　８月　７日　本件審判請求・手続補正書
　平成２２年　７月２３日　審尋（同年７月２７日発送）
　平成２２年１０月２７日　回答書
　
２　平成２１年８月７日付け手続補正についての補正却下の決定 
　
[補正却下の決定の結論] 
　
　平成２１年８月７日付け手続補正を却下する。 
　
[理由］独立特許要件違反 
　
　平成２１年８月７日付け手続補正（以下「本件補正」という。）により、本件補正前の請求項１は、 
「逆多重化装置を用いる表示装置において：
画像を表すデータ信号を伝達する複数のデータ線と，前記データ線に電気的に連結された複数の画素回路とを含む表示領域と；
複数の信号線と；
前記複数の信号線に電気的に連結され，前記データ信号に対応する第１の信号を時分割して前記複数の信号線に伝達するデータ駆動部と；
前記データ駆動部から前記複数の信号線を介して伝達された前記第１の信号を逆多重化して，前記データ信号を生成し，前記データ信号を第１のデータ線および第２のデータ線を含む少なくとも２本のデータ線に印加する逆多重化部と；を含み，
１フレームは，第１のフィールドおよび第２のフィールドを含み，
前記逆多重化部は，前記第１のフィールドの第１期間に，前記データ信号を前記第１のデータ線に印加し，
前記第２のフィールドの第２期間に，前記データ信号を前記第２のデータ線に印加し，
前記第１の信号は，少なくとも２の色相に対応する信号であり、
前記複数の画素回路は、
前記第１信号による駆動電流を供給する駆動トランジスタと；
前記駆動電流によって発光する発光素子と；
前記駆動トランジスタと前記発光素子との間に両電極が連結されており、前記駆動電流を前記駆動トランジスタから前記発光素子に伝達する伝達スイッチと；を含み、
前記少なくとも２本の第１及び第２のデータ線それぞれに連結されている画素回路それぞれの伝達スイッチのオン／オフを制御する走査信号を伝達する走査線が同一であることを特徴とする，表示装置。」から、
「逆多重化装置を用いる表示装置において：
画像を表すデータ信号を伝達する複数のデータ線と，前記データ線に電気的に連結された複数の画素回路とを含む表示領域と；
複数の信号線と；
前記複数の信号線に電気的に連結され，前記データ信号に対応する第１の信号を時分割して前記複数の信号線に伝達するデータ駆動部と；
前記データ駆動部から前記複数の信号線を介して伝達された前記第１の信号を逆多重化して，前記データ信号を生成し，前記データ信号を第１のデータ線および第２のデータ線を含む少なくとも２本のデータ線に印加する逆多重化部と；を含み，
１フレームは，第１のフィールドおよび第２のフィールドを含み，
前記逆多重化部は，前記第１のフィールドの第１期間に，前記データ信号を前記第１のデータ線に印加し，
前記第２のフィールドの第２期間に，前記データ信号を前記第２のデータ線に印加し，
前記第１の信号は，少なくとも２の色相に対応する信号であり、
前記複数の画素回路は、
前記第１信号による駆動電流を供給する駆動トランジスタと；
前記駆動電流によって発光する発光素子と；
前記駆動トランジスタと前記発光素子との間に両電極が連結されており、前記駆動電流を前記駆動トランジスタから前記発光素子に伝達する伝達スイッチと；を含み、
前記少なくとも２本の第１及び第２のデータ線それぞれに連結されている画素回路それぞれの伝達スイッチのオン／オフを制御する走査信号を伝達する走査線が同一であ
り、
前記逆多重化部は，一の電極が前記複数の信号線のうちの一つに連結され，他の電極が前記少なくとも２本のデータ線にそれぞれ連結される少なくとも二つのスイッチング素子を含み，少なくとも二つの前記スイッチング素子には互いに反転した制御信号が与えられる
　
　したがって、この補正は、逆多重化部に関して、「前記逆多重化部は，一の電極が前記複数の信号線のうちの一つに連結され，他の電極が前記少なくとも２本のデータ線にそれぞれ連結される少なくとも二つのスイッチング素子を含み，少なくとも二つの前記スイッチング素子には互いに反転した制御信号が与えられる」ことを限定するものである。
　
　以上のことから、この補正は、特許請求の範囲の減縮を目的とするものに該当する。 
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。 
　
（１）本件補正後の本願発明 
　
　本願の請求項１に係る発明（以下「本願補正発明」とする。）における「前記逆多重化部は，一の電極が前記複数の信号線のうちの一つに連結され，他の電極が前記少なくとも２本のデータ線にそれぞれ連結される少なくとも二つのスイッチング素子を含み，少なくとも二つの前記スイッチング素子には互いに反転した制御信号が与えられる」なる発明特定事項について検討する。
　
　上記記載によれば、逆多重化部に含まれるスイッチング素子の個数は、「少なくとも二つ」であるから、２個のものだけではなく、３個以上のものも含んでいる。そして、２個のスイッチング素子に対して互いに反転した制御信号が与えられることは、一方のスイッチング素子に高電圧の制御信号が与えられ、他方のスイッチング素子に低電圧の制御信号が与えられることを意味するから、その意味するところは明りょうである。しかしながら、３個以上のスイッチング素子に対して、互いに反転した制御信号が与えられることは、３個以上の制御信号がそれぞれどのような場合を指すものであるのか、不明りょうであるから、その意味するところは不明りょうである。
　
　そこで、上記発明特定事項の意味するところを、本願の発明の詳細な説明の記載を参酌して検討する。
　本願の発明の詳細な説明の段落【００３１】には、「本実施形態にかかる逆多重化部５００は，例えば，１：２形態の逆多重化装置であり，データ駆動部４００から入力されるデータ信号を２本のデータ線に分割して印加する。なお，逆多重化部５００の形態は，上記の比率に限らず，１：３，１：４などの１：Ｎ逆多重化装置を用いることもできる。また，Ｎを３以下の整数に設定することが好ましい。」と記載されており、また、段落【００３６】〜【００３７】には、「図２に示すように，逆多重化部５００は，信号線ＳＰ［１］〜ＳＰ［ｍ′］を介してデータ駆動部４００に連結される。そして，１本の信号線ＳＰ［ｉ］から印加されたデータ信号を，例えば，２本のデータ線Ｄａｔａ［２ｉ−１］およびＤａｔａ［２ｉ］に伝達する。このとき，１本の信号線ＳＰ［ｉ］には二つのスイッチング素子Ｓ１およびＳ２が連結され，スイッチング素子Ｓ１はデータ線Ｄａｔａ［２ｉ−１］に，Ｓ２はデータ線Ｄａｔａ［２ｉ］に連結される。スイッチング素子Ｓ１およびＳ２は，印加される制御信号に応じて交互にオン／オフされ，信号線ＳＰ［ｉ］からのデータ信号をそれぞれデータ線Ｄａｔａ［２ｉ−１］およびＤａｔａ［２ｉ］に伝達する。このようなスイッチング素子Ｓ１およびＳ２としては，例えば，ＮＭＯＳ（ｎｅｇａｔｉｖｅ  Ｍｅｔａｌ−Ｏｘｉｄｅ  Ｓｅｍｉｃｏｎｄｕｃｔｏｒ）またはＰＭＯＳ（ｐｏｓｉｔｉｖｅ  Ｍｅｔａｌ−Ｏｘｉｄｅ  Ｓｅｍｉｃｏｎｄｕｃｔｏｒ）などのトランジスタ，またはこれと類似したスイッチング素子を使用することができる。」と記載されており、また、段落【００４７】には、「以下では，１フレームを第１のフィールドおよび第２のフィールドに区分し，第１のフィールドおよび第２のフィールドに隣接した二つの画素回路に交互にデータ電流を書き込む場合を中心に説明する。なお，このような１フレームの区分は変更可能であり，三つ以上の複数のフィールドに区分することもできる。また。フィールドごとに長さが相違するように設定することもできる。」と記載されている。
　すなわち、本願の発明の詳細な説明には、「逆多重化部」の「スイッチング素子」に関して、逆多重化の比率が１：２形態であり、一方の電極が複数の信号線のうちの一つ（信号線ＳＰ［ｉ］）に連結され、他方の電極が２本のデータ線（データ線Ｄａｔａ［２ｉ−１］およびＤａｔａ［２ｉ］）のそれぞれに連結される二つのスイッチング素子（スイッチング素子Ｓ１およびＳ２）を有する逆多重化部５００であって、１フレームを２フィールドに区分した駆動方式において、各フィールドで交互にオン／オフする逆多重化部５００が記載されている。また、逆多重化部５００の逆多重化の比率としては、１：２形態に限られるものではなく、１：３，１：４などの１：Ｎ形態であってもよいこと、それにあわせて、１フレーム内のフィールド数についても、２フィールドだけではなく、三つ以上の複数のフィールドに区分可能であることが記載されている。そして、逆多重化部５００は、１フレームの間に、一つの信号線と、該一つの信号線に接続されているデータ線すべてを時分割で接続する機能を有するものであるから、逆多重化の比率が１：Ｎ形態であり、１フレーム内のフィールド数がＮと一般化された場合に、逆多重化部５００に含まれるスイッチング素子の個数はＮであって、Ｎ個のスイッチング素子には、１フレームを各フィールドの所定の期間においてＮ個のスイッチング素子が択一的にオンするように、制御信号が与えられるものであることは、本願の発明の詳細な説明に記載されているに等しい事項である。そして、逆多重化の比率が１：Ｎ形態であると一般化された場合とは、「逆多重化部が少なくとも二つのスイッチング素子を含む」ものとされた場合にほかならない。
　
　したがって、「前記逆多重化部は，一の電極が前記複数の信号線のうちの一つに連結され，他の電極が前記少なくとも２本のデータ線にそれぞれ連結される少なくとも二つのスイッチング素子を含み，少なくとも二つの前記スイッチング素子には互いに反転した制御信号が与えられる」なる発明特定事項は、「前記逆多重化部は，一の電極が前記複数の信号線のうちの一つに連結され，他の電極が前記少なくとも２本のデータ線にそれぞれ連結される少なくとも二つのスイッチング素子を含み，少なくとも二つの前記スイッチング素子には
、前記１フレームを構成する各フィールドの所定の期間において少なくとも二つの前記スイッチング素子が択一的にオンするように、
　
　以上を踏まえ、本願補正発明を、以下のとおりのものと認定する。
「逆多重化装置を用いる表示装置において：
画像を表すデータ信号を伝達する複数のデータ線と，前記データ線に電気的に連結された複数の画素回路とを含む表示領域と；
複数の信号線と；
前記複数の信号線に電気的に連結され，前記データ信号に対応する第１の信号を時分割して前記複数の信号線に伝達するデータ駆動部と；
前記データ駆動部から前記複数の信号線を介して伝達された前記第１の信号を逆多重化して，前記データ信号を生成し，前記データ信号を第１のデータ線および第２のデータ線を含む少なくとも２本のデータ線に印加する逆多重化部と；を含み，
１フレームは，第１のフィールドおよび第２のフィールドを含み，
前記逆多重化部は，前記第１のフィールドの第１期間に，前記データ信号を前記第１のデータ線に印加し，
前記第２のフィールドの第２期間に，前記データ信号を前記第２のデータ線に印加し，
前記第１の信号は，少なくとも２の色相に対応する信号であり、
前記複数の画素回路は、
前記第１信号による駆動電流を供給する駆動トランジスタと；
前記駆動電流によって発光する発光素子と；
前記駆動トランジスタと前記発光素子との間に両電極が連結されており、前記駆動電流を前記駆動トランジスタから前記発光素子に伝達する伝達スイッチと；を含み、
前記少なくとも２本の第１及び第２のデータ線それぞれに連結されている画素回路それぞれの伝達スイッチのオン／オフを制御する走査信号を伝達する走査線が同一であり、
前記逆多重化部は，一の電極が前記複数の信号線のうちの一つに連結され，他の電極が前記少なくとも２本のデータ線にそれぞれ連結される少なくとも二つのスイッチング素子を含み，少なくとも二つの前記スイッチング素子には
、前記１フレームを構成する各フィールドの所定の期間において少なくとも二つの前記スイッチング素子が択一的にオンするように、
　
（２）引用発明 
（２−１）引用刊行物の記載事項
　原査定の拒絶の理由で引用され、本願の優先日前に頒布された刊行物である国際公開第０３／０９１９７７号（以下「引用刊行物」という。）には、「ＥＬ表示パネルのドライバ回路」（発明の名称）の発明に関して、以下の事項が記載されている。 
　
＜記載事項１＞
「本発明のＥＬ表示装置の画素構造は、具体的には図１に示すように単位画素が最低４つからなる複数のトランジスタ１１ならびにＥＬ素子により形成される。画素電極はソース信号線と重なるように構成する。つまり、ソース信号線１８上に絶縁膜あるいはアクリル材料からなる平坦化膜を形成して絶縁し、この絶縁膜上に画素電極１０５を形成する。このようにソース信号線１８上の少なくとも１部に画素電極を重ねる構成をハイアパーチャ（ＨＡ）構造と呼ぶ。不要な干渉光などが低減し、良好な発光状態が期待できる。
　ゲート信号線（第１の走査線）１７ａをアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ回路１４から流す。また、トランジスタ１１ａのゲートとドレイン間を短絡するようにトランジスタ１１ｂがゲート信号線１７ａアクティブ（ＯＮ電圧を印加）となることにより開くと共に、トランジスタ１１ａのゲートとソース間に接続されたコンデンサ（キャパシタ、蓄積容量、付加容量）１９にトランジスタ１１ａのゲート電圧（あるいはドレイン電圧）を記憶する（図３の（ａ）を参照のこと）。」（第２９頁第１４行〜第３０頁第４行）
　
＜記載事項２＞
「ゲート信号線１７ａを非アクティブ（ＯＦＦ電圧を印加）、ゲート信号線１７ｂをアクティブとして、電流の流れる経路を前記第１のトランジスタ１１ａ並びにＥＬ素子１５に接続されたトランジスタ１１ｄならびに前記ＥＬ素子１５を含む経路に切り替えて、記憶した電流を前記ＥＬ素子１５に流すように動作する（図３の（ｂ）を参照のこと）。
　この回路は１画素内に４つのトランジスタ１１を有しており、トランジスタ１１ａのゲートはトランジスタ１１ｂのソースに接続されている。また、トランジスタ１１ｂおよびトランジスタ１１ｃのゲートはゲート信号線１７ａに接続されている。トランジスタ１１ｂのドレインはトランジスタ１１ｃのソースならびにトランジスタ１１ｄのソースに接続され、トランジスタ１１ｃのドレインはソース信号線１８に接続されている。トランジスタ１１ｄのゲートはゲート信号線１７ｂに接続され、トランジスタ１１ｄのドレインはＥＬ素子１５のアノード電極に接続されている。」（第３０頁第１４行〜第３１頁第１行）
　
　また、図１からは、引用刊行物に記載された発明のＥＬ表示装置の表示パネルの画素構造に関して、以下の事項が読み取れる。
＜事項１＞
・駆動用のトランジスタ１１ａのドレインには、トランジスタ１１ｄのソースが接続されている。
　
＜記載事項３＞
「以下、さらに本発明の理解を容易にするために、本発明のＥＬ素子構成について図３を用いて説明する。本発明のＥＬ素子構成は２つのタイミングにより制御される。第１のタイミングは必要な電流値を記憶させるタイミングである。このタイミングでトランジスタ１１ｂならびにトランジスタ１１ｃがＯＮすることにより、等価回路として図３の（ａ）となる。ここで、信号線より所定の電流Ｉｗが書き込まれる。これによりトランジスタ１１ａはゲートとドレインが接続された状態となり、このトランジスタ１１ａとトランジスタ１１ｃを通じて電流Ｉｗが流れる。したがって、トランジスタ１１ａのゲート−ソースの電圧はＩ１が流れるような電圧となる。
　第２のタイミングはトランジスタ１１ａ（当審注：「トランジスタ１１ｂ」の誤記と認める。）とトランジスタ１１ｃが閉じ、トランジスタ１１ｄが開くタイミングであり、そのときの等価回路は図３の（ｂ）となる。トランジスタ１１ａのソース−ゲート間の電圧は保持されたままとなる。この場合、トランジスタ１１ａは常に飽和領域で動作するため、Ｉｗの電流は一定となる。
　このように動作させると、図５に図示するようになる。つまり、図５の（ａ）の５１ａは表示画面５０における、ある時刻での電流プログラムされている画素（行）（書き込み画素行）を示している。この画素（行）５１ａは、図５の（ｂ）に図示するように非点灯（非表示画素（行））とする。他の、画素（行）は表示画素（行）５３とする（非画素５３（当審注：「表示画素５３」の誤記と認める。）のＥＬ素子１５には電流が流れ、ＥＬ素子１５が発光している）。
　図１の画素構成の場合、図３の（ａ）に示すように、電流プログラム時は、プログラム電流Ｉｗがソース信号線１８に流れる。この電流Ｉｗがトランジスタ１１ａを流れ、Ｉｗを流す電流が保持されるように、コンデンサ１９に電圧設定（プログラム）される。このとき、トランジスタ１１ｄはオープン状態（オフ状態）である。
　次に、ＥＬ素子１５に電流を流す期間は図３の（ｂ）のように、トランジスタ１１ｃ、１１ｂがオフし、トランジスタ１１ｄが動作する。つまり、ゲート信号線１７ａにオフ電圧（Ｖｇｈ）が印加され、トランジスタ１１ｂ、１１ｃがオフする。一方、ゲート信号線１７ｂにオン電圧（Ｖｇｌ）が印加され、トランジスタ１１ｄがオンする。」（第３１頁第１３行〜第３２頁第１７行）
　
＜記載事項４＞
「また、ソース信号線１８とは一般的には、映像信号となるプログラム電流あるいは電圧を伝達する配線である。」（第７７頁第４行〜第５行）
　
＜記載事項５＞
「以下、図面を参照しながら本発明の他の駆動方式について説明をする。図１７４は本発明のシーケンス駆動を実施するための表示パネルの説明図である。ソースドライバ回路１４は接続端子７６１にＲ、Ｇ、Ｂデータを切り替えて出力する。したがって、ソースドライバ回路１４の出力端子数は図４８などの場合に比較して１／３の出力端子数ですむ。
　ソースドライバ回路１４から接続端子７６１に出力する信号は、出力切り替え回路１７４１のより（当審注：「により」の誤記と認める。）ソース信号線１８Ｒ、１８Ｇ、１８Ｂに振り分けられる。出力切り替え回路１７４１はポリシリコン技術で基板７１に直接形成する。また、出力切り替え回路１７４１はシリコンチップで形成し、ＣＯＧ技術で基板７１に実装してもよい。また、出力切り替え回路１７４１は出力切り替え回路１７４１をソースドライバ回路１４の回路として、ソースドライバ回路１４に内蔵させてもよい。
　切り替えスイッチ１７４２がＲ端子に接続されている時は、ソースドライバ回路１４からの出力信号は、ソース信号線１８Ｒに印加される。切り替えスイッチ１７４２がＧ端子に接続されている時は、ソースドライバ回路１４からの出力信号は、ソース信号線１８Ｇに印加される。切り替えスイッチ１７４２がＢ端子に接続されている時は、ソースドライバ回路１４からの出力信号は、ソース信号線１８Ｂに印加される。
　なお、図１７５（当審注：「図１７４」の誤記と認める。）の構成では、切り替えスイッチ１７４２がＲ端子に接続されている時は、切り替えスイッチのＧ端子およびＢ端子はオープンである。したがって、ソース信号線１８Ｇおよび１８Ｂに入力される電流は０Ａである。したがって、ソース信号線１８Ｇおよび１８Ｂに接続された画素１６は黒表示となる。
　切り替えスイッチ１７４２がＧ端子に接続されている時は、切り替えスイッチのＲ端子およびＢ端子はオープンである。したがって、ソース信号線１８Ｒおよび１８Ｂに入力される電流は０Ａである。したがって、ソース信号線１８Ｒおよび１８Ｂに接続された画素１６は黒表示となる。
　なお、図１７５（当審注：「図１７４」の誤記と認める。）の構成では、切り替えスイッチ１７４２がＢ端子に接続されている時は、切り替えスイッチのＲ端子およびＧ端子はオープンである。したがって、ソース信号線１８Ｒおよび１８Ｇに入力される電流は０Ａである。したがって、ソース信号線１８Ｒおよび１８Ｇに接続された画素１６は黒表示となる。
　基本的には、１フレームが３フィールドで構成される場合、第１フィールドで、表示画面５０の画素１６に順次Ｒ画像データが書き込まれる。第２フィールドでは、表示画面５０の画素１６に順次Ｇ画像データが書き込まれる。また、第３フィールドでは、表示画面５０の画素１６に順次Ｂ画像（当審注：「Ｂ画像データ」の誤記と認める。）が書き込まれる。
　以上のように、フィールドごとにＲデータ→Ｇデータ→Ｂデータ→Ｒデータ→・・・・・    が順次書き換えられシーケンス駆動が実現される。図１のようにスイッチングトランジスタ１１ｄをオンオフさせて、Ｎ倍パルス駆動を実現することなどは、図５、図１３、図１６などで説明をした。これらの駆動方法をシーケンス駆動と組み合わせることができることは言うまでもない。
　また、先に説明した実施例では、Ｒ画素１６に画像データを書き込む時は、Ｇ画素およびＢ画素には黒データを書き込むとした。Ｇ画素１６に画像データを書き込む時は、Ｒ画素およびＢ画素には黒データを書き込むとした。Ｂ画素１６に画像データを書き込む時は、Ｒ画素およびＧ画素には黒データを書き込むとした。」（第１２２頁第１９行〜第１２４頁第１４行）
　
　また、図１７４からは、引用刊行物に記載された発明のＥＬ表示装置に関して、以下の事項が読み取れる。
＜事項２＞
・ソースドライバ１４からの接続端子７６１と、出力切り替え回路１７４１内の切り替えスイッチ１７４２とは、ソース信号線１８によって接続されている。
　
＜記載事項６＞
「たとえば、図１７４に図示するように、ゲート信号線１７ａＲは、Ｒ画素のトランジスタ１１ｂ、トランジスタ１１ｃのオンオフを制御する信号線とする。また、ゲート信号線１７ａＧは、Ｇ画素のトランジスタ１１ｂ、トランジスタ１１ｃのオンオフを制御する信号線とする。ゲート信号線１７ａＢは、Ｂ画素のトランジスタ１１ｂ、トランジスタ１１ｃのオンオフを制御する信号線とする。一方、ゲート信号線１７ｂはＲ画素、Ｇ画素、Ｂ画素のトランジスタ１１ｄを共通でオンオフさせる信号線とする。」（第１２４頁第２６行〜第１２５頁第７行）
　
＜記載事項７＞
「図１７４の実施例では、ＲＧＢごとに画素１６のトランジスタ１１ｂをオンオフさせるゲート信号線１７ａを形成あるいは配置するとした。しかし、本発明はこれに限定されるものではない。たとえば、図１７５に図示するように、ＲＧＢの画素１６に共通のゲート信号線１７ａを形成または配置する構成であってもよい。
　図１７４などの構成において、切り替えスイッチ１７４２がＲのソース信号線を選択しているときは、Ｇのソース信号線とＢのソース信号線はオープンになるとして説明をした。」（第１２５頁第２６行〜第１２６頁第７行）
　
＜記載事項８＞
「図１７６は１Ｈごとに書き換える画素の色を変化させた実施例である。なお、図１７６から図１７８において、斜線でしめした画素１６は、画素を書き換えずに前フィールドの画像データを保持していること、もしくは、黒表示にされていることを示している。もちろん、画素を黒表示したり、前フィールドのデータを保持したりと繰り返し実施してもよい。」（第１２７頁第１０行〜第１４行）
　
＜記載事項９＞
「また、１フレームは３フィールドで構成されることに限定されるものではない。２フィールドでもよいし、４フィールド以上でもよい。１フレームが２フィールドで、ＲＧＢの３原色の場合は、第１フィールドで、ＲとＧ画素を書き換え、第２フィールドでＢ画素を書き換えるという実施例が例示される。また、１フレームが４フィールドで、ＲＧＢの３原色の場合は、第１フィールドで、Ｒ画素を書き換え、第２フィールドでＧ画素を書き換え、第３フィールドと第４フィールドでＢ画素を書き換えるという実施例が例示される。これらのシーケンスは、ＲＧＢのＥＬ素子１５の発光効率を考慮して検討することにより効率よくホワイトバランスをとることができる。
　以上の実施例では、第１フィールドでＲ画素１６を書き換え、第２フィールドでＧ画素１６を書き換え、第３フィールドでＢ画素１６を書き換えるとした。つまり、１フィールドごとに書き換えられる画素の色が変化する。
　図１７６の実施例では、第１フィールドの１Ｈ目にＲ画素を書き換え、２Ｈ番目にＧ画素を書き換え、３Ｈ番目にＢ画素を書き換え、４Ｈ番目にＲ画素を書き換え、・・・・・・と駆動する方法である。もちろん、２Ｈ以上の複数水平走査期間ごとに書き換える画素の色を変化させてもよいし、１／３フィールドごとに書き換える画素の色を変化させてもよ
い。
　図１７６の実施例では、第１フィールドの１Ｈ目にＲ画素を書き換え、２Ｈ番目にＧ画素を書き換え、３Ｈ番目にＢ画素を書き換え、４Ｈ番目にＲ画素を書き換える。第２フィールドの１Ｈ目にＧ画素を書き換え、２Ｈ番目にＢ画素を書き換え、３Ｈ番目にＲ画素を書き換え、４Ｈ番目にＧ画素を書き換える。第３フィールドの１Ｈ目にＢ画素を書き換え、２Ｈ番目にＲ画素を書き換え、３Ｈ番目にＧ画素を書き換え、４Ｈ番目にＢ画素を書き換える。
　以上のように、各フィールドでＲ、Ｇ、Ｂ画素を任意にあるいは所定の規則性を持って書き換えることにより、Ｒ、Ｇ、Ｂのカラーセパレーションを防止することができる。また、フリッカの発生も抑制できる。」（第１２７頁第２０行〜第１２８頁第２３行）
　
（２−２）引用刊行物に記載された発明
（２−２−１）
　上記記載事項１には、「本発明のＥＬ表示装置の画素構造は、具体的には図１に示すように単位画素が最低４つからなる複数のトランジスタ１１ならびにＥＬ素子により形成される。・・・」と記載されている。
　
　この記載によれば、引用刊行物には、「ＥＬ表示装置」の発明が記載されている。
　
（２−２−２）
　上記記載事項４には、「また、ソース信号線１８とは一般的には、映像信号となるプログラム電流あるいは電圧を伝達する配線である。」と記載され、また、上記記載事項５には、「・・・ソース信号線１８Ｇおよび１８Ｂに接続された画素１６・・・ソース信号線１８Ｒおよび１８Ｂに接続された画素１６・・・基本的には、１フレームが３フィールドで構成される場合、第１フィールドで、表示画面５０の画素１６に順次Ｒ画像データが書き込まれる。第２フィールドでは、表示画面５０の画素１６に順次Ｇ画像データが書き込まれる。また、第３フィールドでは、表示画面５０の画素１６に順次Ｂ画像データが書き込まれる。・・・」と記載されている。
　
　これらの記載によれば、引用刊行物に記載された「ＥＬ表示装置」は、「それぞれＲ画像データ、Ｇ画像データ、Ｂ画像データを表す映像信号を伝達する複数のソース信号線１８Ｒ、１８Ｇ、１８Ｂ」と「前記複数のソース信号線１８Ｒ、１８Ｇ、１８Ｂに接続された複数の画素１６を含む表示画面５０」とを有している。
　
（２−２−３）
　上記記載事項４には、「また、ソース信号線１８とは一般的には、映像信号となるプログラム電流あるいは電圧を伝達する配線である。」と記載され、また、上記記載事項５には、「・・・ソースドライバ回路１４は接続端子７６１にＲ、Ｇ、Ｂデータを切り替えて出力する。・・・ソースドライバ回路１４から接続端子７６１に出力する信号は、出力切り替え回路１７４１によりソース信号線１８Ｒ、１８Ｇ、１８Ｂに振り分けられる。・・・基本的には、１フレームが３フィールドで構成される場合、第１フィールドで、表示画面５０の画素１６に順次Ｒ画像データが書き込まれる。第２フィールドでは、表示画面５０の画素１６に順次Ｇ画像データが書き込まれる。また、第３フィールドでは、表示画面５０の画素１６に順次Ｂ画像データが書き込まれる。・・・」と記載されている。
　また、図１７４から、引用刊行物に記載された発明のＥＬ表示装置に関して、上記事項２として、「ソースドライバ１４からの接続端子７６１と、出力切り替え回路１７４１内の切り替えスイッチ１７４２とは、ソース信号線１８によって接続されている。」ことが読み取れる。
　
　これらの記載、及び、この事項によれば、引用刊行物に記載された「ＥＬ表示装置」は、「複数のソース信号線１８」と「前記複数のソース信号線１８に接続され、前記Ｒ画像データ、Ｇ画像データ、Ｂ画像データを表す映像信号に対応するＲ、Ｇ、Ｂデータを表す映像信号を切り替えて、前記複数のソース信号線１８に出力するソースドライバ１４」とを有している。
　
（２−２−４）
　上記記載事項４には、「また、ソース信号線１８とは一般的には、映像信号となるプログラム電流あるいは電圧を伝達する配線である。」と記載され、また、上記記載事項５には、「・・・ソースドライバ回路１４から接続端子７６１に出力する信号は、出力切り替え回路１７４１によりソース信号線１８Ｒ、１８Ｇ、１８Ｂに振り分けられる。・・・切り替えスイッチ１７４２がＲ端子に接続されている時は、ソースドライバ回路１４からの出力信号は、ソース信号線１８Ｒに印加される。切り替えスイッチ１７４２がＧ端子に接続されている時は、ソースドライバ回路１４からの出力信号は、ソース信号線１８Ｇに印加される。切り替えスイッチ１７４２がＢ端子に接続されている時は、ソースドライバ回路１４からの出力信号は、ソース信号線１８Ｂに印加される。・・・基本的には、１フレームが３フィールドで構成される場合、第１フィールドで、表示画面５０の画素１６に順次Ｒ画像データが書き込まれる。第２フィールドでは、表示画面５０の画素１６に順次Ｇ画像データが書き込まれる。また、第３フィールドでは、表示画面５０の画素１６に順次Ｂ画像が書き込まれる。・・・」と記載され、また、上記記載事項９には、「・・・図１７６の実施例では、第１フィールドの１Ｈ目にＲ画素を書き換え、２Ｈ番目にＧ画素を書き換え、３Ｈ番目にＢ画素を書き換え、４Ｈ番目にＲ画素を書き換える。第２フィールドの１Ｈ目にＧ画素を書き換え、２Ｈ番目にＢ画素を書き換え、３Ｈ番目にＲ画素を書き換え、４Ｈ番目にＧ画素を書き換える。第３フィールドの１Ｈ目にＢ画素を書き換え、２Ｈ番目にＲ画素を書き換え、３Ｈ番目にＧ画素を書き換え、４Ｈ番目にＢ画素を書き換える。・・・」と記載されている。
　
　これらの記載によれば、引用刊行物に記載された「ＥＬ表示装置」は、「前記ソースドライバ１４から前記複数のソース信号線１８を介して出力される、前記Ｒ、Ｇ、Ｂデータを表す映像信号を、前記複数のソース信号線１８Ｒ、１８Ｇ、１８Ｂに振り分けて、それぞれ前記Ｒ画像データ、Ｇ画像データ、Ｂ画像データを表す映像信号を生成し、前記Ｒ画像データを表す映像信号を前記複数のソース信号線１８Ｒに印加し、前記Ｇ画像データを表す映像信号を前記複数のソース信号線１８Ｇに印加し、前記Ｂ画像データを表す映像信号を前記複数のソース信号線１８Ｂに印加する出力切り替え回路１７４１」を有している。
　また、引用刊行物に記載された「ＥＬ表示装置」の有する前記「出力切り替え回路１７４１」は、「複数のソース信号線１８の一つが接続される端子を、複数のソース信号線１８Ｒの一つと接続するＲ端子、複数のソース信号線１８Ｇの一つと接続するＧ端子、複数のソース信号線１８Ｂの一つと接続するＢ端子から選択する切り替えスイッチ１７４２からなり、前記切り替えスイッチ１７４２は前記１フレームを構成する前記各フィールドの所定の期間においていずれか一つの端子を選択する」ものであるともいえる。
　また、引用刊行物に記載された「ＥＬ表示装置」は、「１フレームが３フィールドで構成され」るものであって、引用刊行物に記載された「ＥＬ表示装置」が有する前記「出力切り替え回路１７４１」は、「第１フィールドの１Ｈ目に、前記Ｒ画像データを表す映像信号を前記複数のソース信号線１８Ｒに印加し、第２フィールドの１Ｈ目に、前記Ｇ画像データを表す映像信号を前記複数のソース信号線１８Ｇに印加し、第３フィールドの１Ｈ目に、前記Ｂ画像データを表す映像信号を前記複数のソース信号線１８Ｂに印加する」ものである。
　また、引用刊行物に記載された「ＥＬ表示装置」の「Ｒ、Ｇ、Ｂデータを表す映像信号」は、「Ｒ、Ｇ、Ｂの画像を表す映像信号」である。
　
（２−２−５）
　上記記載事項１には、「本発明のＥＬ表示装置の画素構造は、具体的には図１に示すように単位画素が最低４つからなる複数のトランジスタ１１ならびにＥＬ素子により形成される。・・・ゲート信号線（第１の走査線）１７ａをアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ回路１４から流す。・・・」と記載され、また、上記記載事項２には、「ゲート信号線１７ａを非アクティブ（ＯＦＦ電圧を印加）、ゲート信号線１７ｂをアクティブとして、電流の流れる経路を前記第１のトランジスタ１１ａ並びにＥＬ素子１５に接続されたトランジスタ１１ｄならびに前記ＥＬ素子１５を含む経路に切り替えて、記憶した電流を前記ＥＬ素子１５に流すように動作する（図３の（ｂ）を参照のこと）。この回路は１画素内に４つのトランジスタ１１を有しており、トランジスタ１１ａのゲートはトランジスタ１１ｂのソースに接続されている。また、トランジスタ１１ｂおよびトランジスタ１１ｃのゲートはゲート信号線１７ａに接続されている。トランジスタ１１ｂのドレインはトランジスタ１１ｃのソースならびにトランジスタ１１ｄのソースに接続され、トランジスタ１１ｃのドレインはソース信号線１８に接続されている。トランジスタ１１ｄのゲートはゲート信号線１７ｂに接続され、トランジスタ１１ｄのドレインはＥＬ素子１５のアノード電極に接続されている。」と記載され、また、上記記載事項４には、「また、ソース信号線１８とは一般的には、映像信号となるプログラム電流あるいは電圧を伝達する配線である。」と記載されている。
　また、図１からは、引用刊行物に記載された発明のＥＬ表示装置の表示パネルの画素構造に関して、上記事項１として、「駆動用のトランジスタ１１ａのドレインには、トランジスタ１１ｄのソースが接続されている。」ことが読み取れる。
　また、（２−２−４）によれば、複数のソース信号線１８Ｒ、１８Ｇ、１８Ｂにそれぞれ印加される、Ｒ画像データ、Ｇ画像データ、Ｂ画像データを表す映像信号は、出力切り替え回路１７４１によって振り分けられるまでは、Ｒ、Ｇ、Ｂデータを表す映像信号であるから、トランジスタ１１ｃのドレインが接続されるソース信号線１８Ｒ、１８Ｇ、１８Ｂに流れる電流は、Ｒ、Ｇ、Ｂデータを表す映像信号に対応する電流である。したがって、駆動用のトランジスタ１１ａが流す電流も、Ｒ、Ｇ、Ｂデータを表す映像信号に対応する電流である。
　
　よって、これらの記載、及び、これらの事項によれば、引用刊行物に記載された「ＥＬ表示装置」が有する「複数の画素」の回路は、「前記Ｒ、Ｇ、Ｂデータを表す映像信号に対応した電流を流す駆動用のトランジスタ１１ａ」と「前記電流によって発光するＥＬ素子１５」と「そのソースが前記駆動用のトランジスタ１１ａのドレインに接続され、そのドレインが前記ＥＬ素子１５のアノード電極に接続され、そのゲートがゲート信号線１７ｂに接続され、前記駆動用のトランジスタ１１ａからの前記電流を前記ＥＬ素子１５に流すトランジスタ１１ｄ」とを有している。
　
（２−２−６）
　上記記載事項６には、「・・・ゲート信号線１７ｂはＲ画素、Ｇ画素、Ｂ画素のトランジスタ１１ｄを共通でオンオフさせる信号線とする。」と記載されている。
　
　この記載によれば、引用刊行物に記載された「ＥＬ表示装置」の前記「ゲート信号線１７ｂ」は、「Ｒ用、Ｇ用、Ｂ用の画素１６の回路のトランジスタ１１ｄを共通でオンオフさせる信号線」である。
　
（２−２−７）
　（２−２−１）〜（２−２−６）によれば、引用刊行物には、以下の発明が記載されている。
「ＥＬ表示装置において：
　それぞれＲ画像データ、Ｇ画像データ、Ｂ画像データを表す映像信号を伝達する複数のソース信号線１８Ｒ、１８Ｇ、１８Ｂと、
　前記複数のソース信号線１８Ｒ、１８Ｇ、１８Ｂに接続された複数の画素１６を含む表示画面５０と；
　複数のソース信号線１８と；
　前記複数のソース信号線１８に接続され、前記Ｒ画像データ、Ｇ画像データ、Ｂ画像データを表す映像信号に対応するＲ、Ｇ、Ｂデータを表す映像信号を切り替えて、前記複数のソース信号線１８に出力するソースドライバ１４と；
　前記ソースドライバ１４から前記複数のソース信号線１８を介して出力される、前記Ｒ、Ｇ、Ｂデータを表す映像信号を、前記複数のソース信号線１８Ｒ、１８Ｇ、１８Ｂに振り分けて、それぞれ前記Ｒ画像データ、Ｇ画像データ、Ｂ画像データを表す映像信号を生成し、前記Ｒ画像データを表す映像信号を前記複数のソース信号線１８Ｒに印加し、前記Ｇ画像データを表す映像信号を前記複数のソース信号線１８Ｇに印加し、前記Ｂ画像データを表す映像信号を前記複数のソース信号線１８Ｂに印加する出力切り替え回路１７４１；を有し、
　１フレームが３フィールドで構成され、
　前記出力切り替え回路１７４１は、
　第１フィールドの１Ｈ目に、前記Ｒ画像データを表す映像信号を前記複数のソース信号線１８Ｒに印加し、
　第２フィールドの１Ｈ目に、前記Ｇ画像データを表す映像信号を前記複数のソース信号線１８Ｇに印加し、
　第３フィールドの１Ｈ目に、前記Ｂ画像データを表す映像信号を前記複数のソース信号線１８Ｂに印加し、
　前記Ｒ、Ｇ、Ｂデータを表す映像信号は、Ｒ、Ｇ、Ｂの画像を表す映像信号であり、
　前記複数の画素１６の回路は、
　前記Ｒ、Ｇ、Ｂデータを表す映像信号に対応した電流を流す駆動用のトランジスタ１１ａと；
　前記電流によって発光するＥＬ素子１５と；
　そのソースが前記駆動用のトランジスタ１１ａのドレインに接続され、そのドレインが前記ＥＬ素子１５のアノード電極に接続され、そのゲートがゲート信号線１７ｂに接続され、前記駆動用のトランジスタ１１ａからの前記電流を前記ＥＬ素子１５に流すトランジスタ１１ｄと；を有し、
　前記ゲート信号線１７ｂは、Ｒ用、Ｇ用、Ｂ用の前記画素１６の回路の前記トランジスタ１１ｄを共通でオンオフさせる信号線であり、
　前記出力切り替え回路１７４１は、複数のソース信号線１８の一つが接続される端子を、複数のソース信号線１８Ｒの一つと接続するＲ端子、複数のソース信号線１８Ｇの一つと接続するＧ端子、複数のソース信号線１８Ｂの一つと接続するＢ端子から選択する切り替えスイッチ１７４２からなり、前記切り替えスイッチ１７４２は前記１フレームを構成する前記各フィールドの所定の期間においていずれか一つの端子を選択する
　ＥＬ表示装置。」（以下、「引用発明」という。）
　
（３）対比・判断
　本願補正発明と引用発明とを比較する。 
　
（３−１）
　引用発明の「ＥＬ表示装置」は、本願補正発明の「表示装置」に相当する。
　
（３−２）
　引用発明の「それぞれＲ画像データ、Ｇ画像データ、Ｂ画像データを表す映像信号を伝達する複数のソース信号線１８Ｒ、１８Ｇ、１８Ｂ」と、本願補正発明の「画像を表すデータ信号を伝達する複数のデータ線」とを比較する。
　
　引用発明の「Ｒ画像」、「Ｇ画像」、「Ｂ画像」は、本願補正発明の「画像」に相当する。
　よって、引用発明の「Ｒ画像データ、Ｇ画像データ、Ｂ画像データを表す映像信号」は、本願補正発明の「画像を表すデータ信号」に相当する。
　
　したがって、引用発明の、それぞれＲ画像データ、Ｇ画像データ、Ｂ画像データを表す映像信号を伝達する、「複数のソース信号線１８Ｒ、１８Ｇ、１８Ｂ」は、本願補正発明の、画像を表すデータ信号を伝達する、「複数のデータ線」に相当する。
　
（３−３）
　引用発明の「前記複数のソース信号線１８Ｒ、１８Ｇ、１８Ｂに接続された複数の画素１６を含む表示画面５０」と、本願補正発明の「前記データ線に電気的に連結された複数の画素回路とを含む表示領域」とを比較する。
　
　（３−２）の相当関係から、引用発明の「複数のソース信号線１８Ｒ、１８Ｇ、１８Ｂ」は、本願補正発明の「複数のデータ線」に相当する。
　
　よって、引用発明の、前記複数のソース信号線１８Ｒ、１８Ｇ、１８Ｂに接続された、「複数の画素１６」の回路は、本願補正発明の、前記データ線に電気的に連結された、「複数の画素回路」に相当する。
　
　したがって、引用発明の、前記複数のソース信号線１８Ｒ、１８Ｇ、１８Ｂに接続された複数の画素１６を含む、「表示画面５０」は、本願補正発明の、前記データ線に電気的に連結された複数の画素回路とを含む、「表示領域」に相当する。
　
（３−４）
　引用発明の「複数のソース信号線１８」は、本願補正発明の「複数の信号線」に相当する。
　
　引用発明の「前記複数のソース信号線１８に接続され、前記Ｒ画像データ、Ｇ画像データ、Ｂ画像データを表す映像信号に対応するＲ、Ｇ、Ｂデータを表す映像信号を切り替えて、前記複数のソース信号線１８に出力するソースドライバ１４」と、本願補正発明の「前記複数の信号線に電気的に連結され，前記データ信号に対応する第１の信号を時分割して前記複数の信号線に伝達するデータ駆動部」とを比較する。
　
　（３−２）の相当関係から、引用発明の「Ｒ画像データ、Ｇ画像データ、Ｂ画像データを表す映像信号」は、本願補正発明の「画像を表すデータ信号」に相当するから、引用発明の、前記Ｒ画像データ、Ｇ画像データ、Ｂ画像データを表す映像信号に対応する、「Ｒ、Ｇ、Ｂデータを表す映像信号」は、本願補正発明の、前記データ信号に対応する、「第１の信号」に相当する。
　そして、上記したとおり、引用発明の「複数のソース信号線１８」は、本願補正発明の「複数の信号線」に相当する。
　また、引用発明の「切り替えて・・・出力する」は、本願補正発明の「時分割して・・・伝達する」に相当する。
　
　したがって、引用発明の、前記複数のソース信号線１８に接続され、前記Ｒ画像データ、Ｇ画像データ、Ｂ画像データを表す映像信号に対応するＲ、Ｇ、Ｂデータを表す映像信号を切り替えて、前記複数のソース信号線１８に出力する、「ソースドライバ１４」は、本願補正発明の、前記複数の信号線に電気的に連結され，前記データ信号に対応する第１の信号を時分割して前記複数の信号線に伝達する、「データ駆動部」に相当する。
　
（３−５）
　引用発明の「前記ソースドライバ１４から前記複数のソース信号線１８を介して出力される、前記Ｒ、Ｇ、Ｂデータを表す映像信号を、前記複数のソース信号線１８Ｒ、１８Ｇ、１８Ｂに振り分けて、それぞれ前記Ｒ画像データ、Ｇ画像データ、Ｂ画像データを表す映像信号を生成し、前記Ｒ画像データを表す映像信号を前記複数のソース信号線１８Ｒに印加し、前記Ｇ画像データを表す映像信号を前記複数のソース信号線１８Ｇに印加し、前記Ｂ画像データを表す映像信号を前記複数のソース信号線１８Ｂに印加する出力切り替え回路１７４１」と、本願補正発明の「前記データ駆動部から前記複数の信号線を介して伝達された前記第１の信号を逆多重化して，前記データ信号を生成し，前記データ信号を第１のデータ線および第２のデータ線を含む少なくとも２本のデータ線に印加する逆多重化部」とを比較する。
　
　（３−４）の相当関係から、引用発明の「ソースドライバ１４」は本願補正発明の「データ駆動部」に相当し、以下同様に、「複数のソース信号線１８」は「複数の信号線」に、「Ｒ、Ｇ、Ｂデータを表す映像信号」は「第１の信号」に相当する。また、（３−２）の相当関係から、引用発明の「Ｒ画像データ、Ｇ画像データ、Ｂ画像データを表す映像信号」は、本願補正発明の、画像を表す、「データ信号」に相当し、引用発明の「複数のソース信号線１８Ｒ、１８Ｇ、１８Ｂ」は、本願補正発明の「複数のデータ線」に相当する。
　また、引用発明の「振り分けて・・・生成する」は、本願補正発明の「逆多重化して・・・生成する」に相当する。
　
　よって、引用発明の「前記ソースドライバ１４から前記複数のソース信号線１８を介して出力される、前記Ｒ、Ｇ、Ｂデータを表す映像信号を、前記複数のソース信号線１８Ｒ、１８Ｇ、１８Ｂに振り分けて、前記Ｒ画像データ、Ｇ画像データ、Ｂ画像データを表す映像信号を生成し」は、本願補正発明の「前記データ駆動部から前記複数の信号線を介して伝達された前記第１の信号を逆多重化して，前記データ信号を生成し」に相当する。
　
　また、引用発明の「複数のソース信号線１８Ｒ、１８Ｇ、１８Ｂ」のいずれか一つは、本願補正発明の「第１のデータ線」に相当し、引用発明の「複数のソース信号線１８Ｒ、１８Ｇ、１８Ｂ」の残りのいずれか一つは、本願補正発明の「第２のデータ線」に相当する。
　よって、引用発明の「前記Ｒ画像データを表す映像信号を前記複数のソース信号線１８Ｒに印加し、前記Ｇ画像データを表す映像信号を前記複数のソース信号線１８Ｇに印加し、前記Ｂ画像データを表す映像信号を前記複数のソース信号線１８Ｂに印加する」は、本願補正発明の「前記データ信号を第１のデータ線および第２のデータ線を含む少なくとも２本のデータ線に印加する」に相当する。
　
　したがって、引用発明の、前記ソースドライバ１４から前記複数のソース信号線１８を介して出力される、前記Ｒ、Ｇ、Ｂデータを表す映像信号を、前記複数のソース信号線１８Ｒ、１８Ｇ、１８Ｂに振り分けて、前記Ｒ画像データ、Ｇ画像データ、Ｂ画像データを表す映像信号を生成し、前記Ｒ画像データを表す映像信号を前記複数のソース信号線１８Ｒに印加し、前記Ｇ画像データを表す映像信号を前記複数のソース信号線１８Ｇに印加し、前記Ｂ画像データを表す映像信号を前記複数のソース信号線１８Ｂに印加する、「出力切り替え回路１７４１」は、本願補正発明の、前記データ駆動部から前記複数の信号線を介して伝達された前記第１の信号を逆多重化して，前記データ信号を生成し，前記データ信号を第１のデータ線および第２のデータ線を含む少なくとも２本のデータ線に印加する、「逆多重化部」に相当する。
　
　また、引用発明の「出力切り替え回路１７４１」は、本願補正発明の「逆多重化装置」にも相当する。
　
（３−６）
　引用発明の「１フレームが３フィールドで構成され、前記出力切り替え回路１７４１は、第１フィールドの１Ｈ目に、前記Ｒ画像データを表す映像信号を前記複数のソース信号線１８Ｒに印加し、第２フィールドの１Ｈ目に、前記Ｇ画像データを表す映像信号を前記複数のソース信号線１８Ｇに印加し、第３フィールドの１Ｈ目に、前記Ｂ画像データを表す映像信号を前記複数のソース信号線１８Ｂに印加し」と、本願補正発明の「１フレームは，第１のフィールドおよび第２のフィールドを含み，前記逆多重化部は，前記第１のフィールドの第１期間に，前記データ信号を前記第１のデータ線に印加し，前記第２のフィールドの第２期間に，前記データ信号を前記第２のデータ線に印加し」とを比較する。
　
　引用発明の「フレーム」は、本願補正発明の「フレーム」に相当し、引用発明の「フィールド」は、本願補正発明の「フィールド」に相当する。
　また、（３−５）の相当関係から、引用発明の「出力切り替え回路１７４１」は、本願補正発明の「逆多重化部」に相当し、引用発明の「複数のソース信号線１８Ｒ、１８Ｇ、１８Ｂ」のいずれか一つは、本願補正発明の「第１のデータ線」に相当し、引用発明の「複数のソース信号線１８Ｒ、１８Ｇ、１８Ｂ」の残りのいずれか一つは、本願補正発明の「第２のデータ線」に相当する。
　よって、引用発明の「第１フィールド」は、本願補正発明の「第１のフィールド」に相当し、以下同様に、「第２フィールド」は「第２のフィールド」に、「第１フィールドの１Ｈ目」の期間は「第１のフィールドの第１期間」に、「第２フィールドの１Ｈ目」の期間は「第２のフィールドの第２期間」に、「ソース信号線１８Ｒ」は「第１のデータ線」に、「ソース信号線１８Ｇ」は「第２のデータ線」に相当する。
　
　したがって、引用発明の「１フレームが３フィールドで構成され、前記出力切り替え回路１７４１は、第１フィールドの１Ｈ目に、前記Ｒ画像データを表す映像信号を前記複数のソース信号線１８Ｒに印加し、第２フィールドの１Ｈ目に、前記Ｇ画像データを表す映像信号を前記複数のソース信号線１８Ｇに印加し、第３フィールドの１Ｈ目に、前記Ｂ画像データを表す映像信号を前記複数のソース信号線１８Ｂに印加し」は、本願補正発明の「１フレームは，第１のフィールドおよび第２のフィールドを含み，前記逆多重化部は，前記第１のフィールドの第１期間に，前記データ信号を前記第１のデータ線に印加し，前記第２のフィールドの第２期間に，前記データ信号を前記第２のデータ線に印加し」に相当する。
　
（３−７）
　（３−４）の相当関係から、引用発明の「Ｒ、Ｇ、Ｂデータを表す映像信号」は本願補正発明の「第１の信号」に相当するから、引用発明の「前記Ｒ、Ｇ、Ｂデータを表す映像信号は、Ｒ、Ｇ、Ｂの画像を表す映像信号であり」は、本願補正発明の「前記第１の信号は，少なくとも２の色相に対応する信号であり」に相当する。
　
（３−８）
　引用発明の「前記複数の画素１６の回路は、前記Ｒ、Ｇ、Ｂデータを表す映像信号に対応した電流を流す駆動用のトランジスタ１１ａと；前記電流によって発光するＥＬ素子１５と；そのソースが前記駆動用のトランジスタ１１ａのドレインに接続され、そのドレインが前記ＥＬ素子１５のアノード電極に接続され、そのゲートがゲート信号線１７ｂに接続され、前記駆動用のトランジスタ１１ａからの前記電流を前記ＥＬ素子１５に流すトランジスタ１１ｄと；を有し」と、本願補正発明の「前記複数の画素回路は、前記第１信号による駆動電流を供給する駆動トランジスタと；前記駆動電流によって発光する発光素子と；前記駆動トランジスタと前記発光素子との間に両電極が連結されており、前記駆動電流を前記駆動トランジスタから前記発光素子に伝達する伝達スイッチと；を含み」とを比較する。
　
　（３−３）の相当関係から、引用発明の「複数の画素１６」の回路は、本願補正発明の「複数の画素回路」に相当する。
　
　（３−４）の相当関係から、引用発明の「Ｒ、Ｇ、Ｂデータを表す映像信号」は本願補正発明の「第１の信号」に相当する。
　よって、引用発明の「前記Ｒ、Ｇ、Ｂデータを表す映像信号に対応した電流」は、本願補正発明の「前記第１信号による駆動電流」に相当する。
　そして、引用発明の、前記Ｒ、Ｇ、Ｂデータを表す映像信号に対応した電流を流す、「駆動用のトランジスタ１１ａ」は、本願補正発明の、前記第１信号による駆動電流を供給する、「駆動トランジスタ」に相当し、引用発明の、前記電流によって発光する、「ＥＬ素子１５」は、本願補正発明の、前記駆動電流によって発光する、「発光素子」に相当する。
　
　また、引用発明の「トランジスタ１１ｄ」は、そのソースが前記駆動用のトランジスタ１１ａのドレインに接続され、そのドレインが前記ＥＬ素子１５のアノード電極に接続されるものであって、ゲート信号線１７ｂに印加される信号に応じて、前記駆動用のトランジスタ１１ａからの前記電流を前記ＥＬ素子１５に流す状態と流さない状態とを取り得るものである。
　一方、本願補正発明の「伝達スイッチ」も、前記駆動トランジスタと前記発光素子との間に両電極が連結されて、一方の電極が前記駆動トランジスタに連結され、他方の電極が前記発光素子に連結されており、前記駆動電流を前記駆動トランジスタから前記発光素子に伝達するオン状態と伝達しないオフ状態とを取り得るものである。
　よって、引用発明の、そのソースが前記駆動用のトランジスタ１１ａのドレインに接続され、そのドレインが前記ＥＬ素子１５のアノード電極に接続され、前記駆動用のトランジスタ１１ａからの前記電流を前記ＥＬ素子１５に流す状態と流さない状態とを取り得る、「トランジスタ１１ｄ」は、本願補正発明の、一方の電極が前記駆動トランジスタに連結され、他方の電極が前記発光素子に連結されており、前記駆動電流を前記駆動トランジスタから前記発光素子に伝達するオン状態と伝達しないオフ状態とを取り得る、「伝達スイッチ」に相当する。
　
　したがって、引用発明の「前記複数の画素１６の回路は、前記Ｒ、Ｇ、Ｂデータを表す映像信号に対応した電流を流す駆動用のトランジスタ１１ａと；前記電流によって発光するＥＬ素子１５と；そのソースが前記駆動用のトランジスタ１１ａのドレインに接続され、そのドレインが前記ＥＬ素子１５のアノード電極に接続され、そのゲートがゲート信号線１７ｂに接続され、前記駆動用のトランジスタ１１ａからの前記電流を前記ＥＬ素子１５に流すトランジスタ１１ｄと；を有し」は、本願補正発明の「前記複数の画素回路は、前記第１信号による駆動電流を供給する駆動トランジスタと；前記駆動電流によって発光する発光素子と；前記駆動トランジスタと前記発光素子との間に両電極が連結されており、前記駆動電流を前記駆動トランジスタから前記発光素子に伝達する伝達スイッチと；を含み」に相当する。
　
（３−９）
　引用発明の「前記ゲート信号線１７ｂは、Ｒ用、Ｇ用、Ｂ用の前記画素１６の回路の前記トランジスタ１１ｄを共通でオンオフさせる信号線であり」と、本願補正発明の「前記少なくとも２本の第１及び第２のデータ線それぞれに連結されている画素回路それぞれの伝達スイッチのオン／オフを制御する走査信号を伝達する走査線が同一であり」とを比較する。
　
　引用発明において、Ｒ用の画素１６の回路は、ソース信号線１８Ｒに接続されており、Ｇ用の画素１６の回路は、ソース信号線１８Ｇに接続されている。
　そして、（３−３）の相当関係から、引用発明の「複数の画素１６」の回路は、本願補正発明の「複数の画素回路」に相当し、また、（３−６）の相当関係から、引用発明の「ソース信号線１８Ｒ」は本願補正発明の「第１のデータ線」に相当し、引用発明の「ソース信号線１８Ｇ」は本願補正発明の「第２のデータ線」に相当し、また、（３−８）の相当関係から、引用発明の「トランジスタ１１ｄ」は本願補正発明の「伝達スイッチ」に相当する。
　
　よって、引用発明の、ソース信号線１８Ｒに接続された、Ｒ用の画素１６の回路の「トランジスタ１１ｄ」は、本願補正発明の、第１のデータ線に連結されている画素回路の「伝達スイッチ」に相当し、引用発明の、ソース信号線１８Ｇに接続された、Ｇ用の画素１６の回路の「トランジスタ１１ｄ」は、本願補正発明の、第２のデータ線に連結されている画素回路の「伝達スイッチ」に相当する。
　
　そして、引用発明の、ゲート信号線１７ｂに伝達される信号は、Ｒ用、Ｇ用、Ｂ用の前記画素１６の回路の前記トランジスタ１１ｄを共通でオンオフさせる信号である。
　一方、本願補正発明の、走査信号も、同一の走査線に伝達される信号であるから、前記少なくとも２本の第１及び第２のデータ線それぞれに連結されている画素回路それぞれの伝達スイッチのオン／オフを共通して制御する信号である。
　
　よって、引用発明の、Ｒ用、Ｇ用、Ｂ用の前記画素１６の回路の前記トランジスタ１１ｄを共通でオンオフさせる信号である、「ゲート信号線１７ｂ」に伝達される信号は、本願補正発明の、前記少なくとも２本の第１及び第２のデータ線それぞれに連結されている画素回路それぞれの伝達スイッチのオン／オフを共通して制御する信号である、「走査信号」に相当し、引用発明の「ゲート信号線１７ｂ」は、本願補正発明の「走査線」に相当する。
　
　したがって、引用発明の「前記ゲート信号線１７ｂは、Ｒ用、Ｇ用、Ｂ用の前記画素１６の回路の前記トランジスタ１１ｄを共通でオンオフさせる信号線であり」は、本願補正発明の「前記少なくとも２本の第１及び第２のデータ線それぞれに連結されている画素回路それぞれの伝達スイッチのオン／オフを制御する走査信号を伝達する走査線が同一であり」に相当する。
　
（３−１０）
　したがって、本願補正発明と引用発明の両者は、
「逆多重化装置を用いる表示装置において：
画像を表すデータ信号を伝達する複数のデータ線と，前記データ線に電気的に連結された複数の画素回路とを含む表示領域と；
複数の信号線と；
前記複数の信号線に電気的に連結され，前記データ信号に対応する第１の信号を時分割して前記複数の信号線に伝達するデータ駆動部と；
前記データ駆動部から前記複数の信号線を介して伝達された前記第１の信号を逆多重化して，前記データ信号を生成し，前記データ信号を第１のデータ線および第２のデータ線を含む少なくとも２本のデータ線に印加する逆多重化部と；を含み，
１フレームは，第１のフィールドおよび第２のフィールドを含み，
前記逆多重化部は，前記第１のフィールドの第１期間に，前記データ信号を前記第１のデータ線に印加し，
前記第２のフィールドの第２期間に，前記データ信号を前記第２のデータ線に印加し，
前記第１の信号は，少なくとも２の色相に対応する信号であり、
前記複数の画素回路は、
前記第１信号による駆動電流を供給する駆動トランジスタと；
前記駆動電流によって発光する発光素子と；
前記駆動トランジスタと前記発光素子との間に両電極が連結されており、前記駆動電流を前記駆動トランジスタから前記発光素子に伝達する伝達スイッチと；を含み、
前記少なくとも２本の第１及び第２のデータ線それぞれに連結されている画素回路それぞれの伝達スイッチのオン／オフを制御する走査信号を伝達する走査線が同一である表示装置。」の点で一致し、以下の点で一応相違する。
　
［一応の相違点］
　逆多重化部に関し、本願補正発明では「前記逆多重化部は，一の電極が前記複数の信号線のうちの一つに連結され，他の電極が前記少なくとも２本のデータ線にそれぞれ連結される少なくとも二つのスイッチング素子を含み，少なくとも二つの前記スイッチング素子には、前記１フレームを構成する各フィールドの所定の期間において少なくとも二つの前記スイッチング素子が択一的にオンするように、制御信号が与えられる」のに対し、引用発明では「前記出力切り替え回路１７４１は、複数のソース信号線１８の一つが接続される端子を、複数のソース信号線１８Ｒの一つと接続するＲ端子、複数のソース信号線１８Ｇの一つと接続するＧ端子、複数のソース信号線１８Ｂの一つと接続するＢ端子から選択する切り替えスイッチ１７４２からなり、前記切り替えスイッチ１７４２は前記１フレームを構成する前記各フィールドの所定の期間においていずれか一つの端子を選択する」ことにとどまる点。
　
　上記一応の相違点について検討する。
　一般に、一つの接続元と接続される接続先を、Ｎ個の接続先から択一的に選択する切り替えスイッチ回路として、一方の電極が一つの接続元に接続され、他方の電極が前記Ｎ個の接続先の一つにそれぞれ接続されるスイッチング素子を１個ずつ、計Ｎ個有する構成とし、前記Ｎ個の接続先の中の一つを接続先とする場合に、該一つの接続先に対応する前記スイッチング素子のみが導通し、残りの前記スイッチング素子は導通しないように、前記Ｎ個のスイッチング素子に制御信号を与えることは、技術常識である。（例えば、特開２００３−１３１６２５号公報の、特に、段落【００８９】〜【０１０９】、図１、図３、あるいは、特開２００２−１４９１２５号公報の、特に、段落【００２４】、図１参照。）
　
　そして、引用発明の「出力切り替え回路１７４１」は、その接続元が複数のソース信号線１８の一つであり、３個の接続先が、複数のソース信号線１８Ｒの一つと接続するＲ端子、複数のソース信号線１８Ｇの一つと接続するＧ端子、複数のソース信号線１８Ｂの一つと接続するＢ端子である切り替えスイッチ１７４２からなり、前記切り替えスイッチ１７４２が、１フレームを構成する各フィールドの所定の期間においていずれか一つの端子を選択するものである。
　よって、上記技術常識を勘案すると、引用発明の「出力切り替え回路１７４１」を構成する「切り替えスイッチ１７４２」は、一方の電極（本願補正発明の「一の電極」に相当する。以下同様。）が複数のソース信号線１８の一つ（「複数の信号線のうちの一つ」）に接続され、他方の電極（「他の電極」）が複数のソース信号線１８Ｒの一つ（「第１のデータ線」の一つ）と接続するＲ端子、複数のソース信号線１８Ｇの一つ（「第２のデータ線」の一つ）と接続するＧ端子、複数のソース信号線１８Ｂの一つと接続するＢ端子にそれぞれ接続される３個のスイッチング素子を有する（第１のデータ線と第２のデータ線とを含む「前記少なくとも２本のデータ線にそれぞれ連結される少なくとも二つのスイッチング素子を含み」）ものであって、前記３個のスイッチング素子には、１フレームを構成する各フィールドの所定の期間において、いずれか１個の端子に対応するスイッチング素子が導通し、残りの２個のスイッチング素子は導通しないように（「少なくとも二つの前記スイッチング素子が択一的にオンするように」）、制御信号が与えられるものであることは明らかである。
　したがって、引用発明は、上記一応の相違点にかかる発明特定事項を実質的に有するものといえる。
　
　以上のとおり、本願補正発明と引用発明とは、両者間に実質的な相違点がなく、両者は同一であるから、本願補正発明は、引用刊行物に記載された発明である。
　また、仮に、両者が同一でないとしても、上記したように、技術常識を参酌することにより、引用発明に基づいて本願補正発明が導かれるのであるから、本願補正発明は引用発明に基づいて当業者が容易に発明をすることができたものであるともいえる。
　
　なお、請求人は、平成２２年１０月２７日付の回答書において、「本願請求項１に係る発明では、スイッチング素子は、『一の電極が複数の信号線のうちの一つに連結され、他の電極は少なくとも２本のデータ線にそれぞれ連結される』という構成を備えています。引用文献１には、切換スイッチの一の電極が一の信号線に連結された構成は開示されていません。・・・そして、本願請求項１に係る発明によれば、隣接する画素を交互に点灯させることで、本願明細書の段落［００５８］、［００５９］、［００８１］に記載しているように、データ電流の大きさを２倍に増大させ、フリッカー問題を解決するという、特有の効果を奏することが可能です。」と主張している。
　しかしながら、上記（２−２−７）、（３−１０）で詳述したように、引用発明の「一方の電極が前記複数のソース信号線１８の一つに接続され、他方の電極が前記複数のソース信号線１８Ｒの一つ、前記複数のソース信号線１８Ｇの一つ、前記複数のソース信号線１８Ｂの一つにそれぞれ接続された、３個のスイッチング素子」は、本願補正発明の「一の電極が前記複数の信号線のうちの一つに連結され，他の電極が前記少なくとも２本のデータ線にそれぞれ連結される少なくとも二つのスイッチング素子」に相当する。
　また、引用刊行物の上記記載事項５には、「以上のように、フィールドごとにＲデータ→Ｇデータ→Ｂデータ→Ｒデータ→・・・・・    が順次書き換えられシーケンス駆動が実現される。図１のようにスイッチングトランジスタ１１ｄをオンオフさせて、Ｎ倍パルス駆動を実現することなどは、図５、図１３、図１６などで説明をした。これらの駆動方法をシーケンス駆動と組み合わせることができることは言うまでもない。」と記載されている。そして、図１、図５の駆動を説明する、引用刊行物の第５２頁第１９行〜第５４頁第２１行には、１フレームをＮフィールドに区分して、スイッチングトランジスタ１１ｄのオン時間を１／Ｎにし、ソース信号線に流れる電流の電流値をＮ倍にすることによって、電流書き込みの時間を短くすることが記載されているから、引用発明も、請求人の主張する上記特有の効果を奏するものである。
　したがって、請求人の主張は採用できない。
　
　よって、本願補正発明は、特許法第２９条第１項第３号及び特許法第２９条第２項の規定により、特許出願の際独立して特許を受けることができない。
　
（５）まとめ 
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するから、特許法第１５９条第１項で読み替えて準用する特許法第５３条第１項の規定により却下されるべきものである。 
　
３　本願発明について 
　
　平成２１年８月７日付け手続補正は上記のとおり却下されたので、本願の請求項１に係る発明（以下、「本願発明」という。）は、平成２０年８月２７日付けの手続補正により補正された明細書、特許請求の範囲、及び図面の記載からみて、その請求項１に記載された事項により特定されるとおりのものと認める。（前記「２」の項参照。） 
　
４　引用刊行物 
　
　引用刊行物に記載された引用発明は、前記「２　（２−２−７）」に記載したとおりである。 
　
５　対比・判断
　
　本願発明は、前記「２」で検討した本願補正発明から、逆多重化部に関して、「前記逆多重化部は，一の電極が前記複数の信号線のうちの一つに連結され，他の電極が前記少なくとも２本のデータ線にそれぞれ連結される少なくとも二つのスイッチング素子を含み，少なくとも二つの前記スイッチング素子には、前記１フレームを構成する各フィールドの所定の期間において少なくとも二つの前記スイッチング素子が択一的にオンするように、制御信号が与えられる」との発明特定事項を省いたものである。
　そうすると、本願発明と引用発明とを比較すると、前記「２　（３−１）」〜「２（３−９）」で検討したとおり、両者間に相違点がなく、両者は同一であるから、本願発明は、引用刊行物に記載された発明である。
　
　また、本願発明は、引用発明に基づいて当業者が容易に発明をすることができたものともいえる。
　
６．むすび
　したがって、本願発明は、引用刊行物に記載された発明であるから、特許法第２９条第１項第３号の規定により特許を受けることができない。
　また、本願発明は、引用発明に基いて当業者が容易に発明をすることができたものであるから、特許法第２９条第２項の規定により特許を受けることができない。
　以上のとおりであるから、他の請求項に係る発明について検討するまでもなく、本願は拒絶すべきものである。
　
　よって、結論のとおり審決する。